(57)【要約】【課題】  ＣＤやＤＶＤ等の板状の記録メディアに装着されて所定のゲームプレイの判定を行うための装置を提供する。【解決手段】  判定機３は、ＣＤ１の盤面に描画された判定用情報を指し示す指示器１０と、ＣＤ１を保持する保持部２０とを備える。指示器１０の上面には、ＣＤ１の盤面に描画された判定用情報を指し示すための指標Ｍ１０が付されている。保持部２０は、ＣＤ１を載置する載置部材２１と、載置部材２１とともにＣＤ１を挟持する押え部材２３と、指示器１０を回転可能に支持する軸部２５１を備えた支軸部材２５とを有している。載置部材２１は、その上面がＣＤ１の載置面となり、載置面の中央の支持突起２１１がＣＤ１の中央の貫通孔に挿入される。支軸部材２５は、押え部材２３の上側に配置され、載置部材２１の支持突起２１１と同心となるように配設されている。【選択図】    図３
2005066074.tif 000002
【特許請求の範囲】
【請求項１】
中央に貫通孔を有するＣＤやＤＶＤ等の板状の記録メディアの前記貫通孔に嵌合し、前記記録メディアを着脱自在且つ水平に保持する保持部と、
前記保持部により前記記録メディアが保持された際に、前記貫通孔を軸中心として前記記録メディア上又は前記記録メディアの上方近傍を水平回転可能に前記保持部に支持される指示器と、
を備え、回転力が加えられた前記指示器が停止した際に当該指示器が指し示している当該記録メディア上の位置の色、図柄又は文字によって為される所定のゲームプレイの判定の用に供される判定機。
【請求項２】
中央に貫通孔を有するＣＤやＤＶＤ等の板状の記録メディアの前記貫通孔に嵌合し、前記記録メディアを着脱自在且つ水平回転可能に保持する保持部と、
指示端部が前記保持部によって保持される前記記録メディア上又は前記記録メディアの上方近傍に位置するように配置された指示器と、
を備え、回転力が加えられた前記記録メディアが停止した際に前記指示器の指示端部が指し示している当該記録メディア上の位置の色、図柄又は文字によって為される所定のゲームプレイの判定の用に供される判定機。
【請求項３】
中央に貫通孔を有するＣＤやＤＶＤ等の板状の記録メディアの前記貫通孔に着脱自在に挿入されることで、所定間隔を空けて複数の前記記録メディアを同一中心軸で個別に回転可能に保持する保持部を備え、
前記保持部により保持された複数の記録メディアそれぞれに回転力が加えられた後、回転が停止した際の各記録メディア上に描かれた色、図柄又は文字の位置関係の組合せによって為される所定のゲームプレイの判定の用に供される判定機。
【請求項４】
中央に貫通孔を有するＣＤやＤＶＤ等の板状の記録メディアの前記貫通孔に着脱自在に挿入されることで、所定間隔を空けてｎ枚（ｎは２以上の整数）の前記記録メディアを同一中心軸で個別に保持するとともに、ｎ枚の内のａ枚（ａは１以上ｎ未満の整数）の前記記録メディアを回転可能に保持する保持部を備え、
前記保持部により回転可能に保持されたａ枚の記録メディアそれぞれに回転力が加えられた後、回転が停止した際のｎ枚の記録メディア上に描かれた色、図柄又は文字の位置関係の組合せによって為される所定のゲームプレイの判定の用に供される判定機。
【請求項５】
他の判定機と連結する連結部を備えることを特徴とする請求項１〜４の何れか一項に記載の判定機。
【請求項６】
前記保持部は、複数の記録メディアを同一面上に平行に保持し、
前記複数の記録メディアにそれぞれ対応した指示器を備えることを特徴とする請求項１又は２に記載の判定機。
【請求項７】
前記保持部によって回転可能に保持された記録メディアの回転を停止させる停止機構を備えることを特徴とする請求項２に記載の判定機。
【請求項８】
前記保持部によって保持された複数の記録メディアそれぞれの回転を別個に停止させる停止機構を備えることを特徴とする請求項３に記載の判定機。
【請求項９】
前記保持部は前記指示器と一体的に回転する軸部を有して構成され、
前記保持部及び前記指示器の組を複数組と、
一の保持部の軸部の回転力を他の保持部の軸部に伝達する伝達機構と、
を備え、前記各保持部による保持面が同一又は平行になるように記録メディアが保持され、前記複数の指示器のうち一の指示器に回転力が加えられると前記伝達機構により他の指示器も回転することを特徴とする請求項１に記載の判定機。
【請求項１０】
前記保持部は記録メディアと一体的に回転する軸部を有して構成され、
前記保持部及び前記指示器の組を複数組と、
一の保持部の軸部の回転力を他の保持部の軸部に伝達する伝達機構と、
を備え、前記各保持部による保持面が同一又は平行になるように記録メディアが保持され、保持された記録メディアのうち一の記録メディアに回転力が加えられると前記伝達機構により他の記録メディアも回転することを特徴とする請求項２に記載の判定機。
【請求項１１】
前記保持部のうち少なくとも一の保持部の軸部を駆動するための駆動機構を備えることを特徴とする請求項９又は１０に記載の判定機。
【請求項１２】
前記保持部のうち少なくとも一の保持部の軸部の回転を停止させる停止機構を備えることを特徴とする請求項９〜１１の何れか一項に記載の判定機。
【発明の詳細な説明】
【技術分野】
【０００１】
本発明は、中央に貫通孔を有するＣＤやＤＶＤ等の板状の記録メディアに装着される判定機に関する。
【背景技術】
【０００２】
対戦ゲーム用玩具として、手に持てる程度の大きさの正方形の平面形状で、薄い箱体状の外形であって、胴部の中央に漫画のキャラクタなどの図柄表示部を設け、その周りに小球を転動させるガイド溝部を設けたルーレット盤状の対戦ゲーム用玩具が知られている。対戦ゲームは、一対一で行い、玩具を手で振ってルーレットのように小球を転動させ、停止位置の点数等で勝負を競うものである（特許文献１参照。）。
【特許文献１】特開平８−３８６８１号公報
【発明の開示】
【発明が解決しようとする課題】
【０００３】
一方で、ＣＤやＤＶＤ等の記録メディアが安価に提供されるようになってきている。このため、記録メディアの盤面に多種多彩の図柄や文字等を印刷して販売することにより、異なる図柄等が印刷された記録メディアを収集したいという欲求を喚起させる効果が期待される。このＣＤやＤＶＤ等の記録メディアと、対戦ゲームとを結びつけることはできないだろうか。より具体的には、所定のゲームプレイの判定を行うため、特許文献１に開示されているようなルーレットの機能を付加した対戦ゲームを記録メディアと結びつけることはできないだろうか。
【０００４】
本発明は、ＣＤやＤＶＤ等の板状の記録メディアに装着されて所定のゲームプレイの判定を行うための装置を提供することである。
【課題を解決するための手段】
【０００５】
上記課題を解決するための第１の発明は、
中央に貫通孔を有するＣＤやＤＶＤ等の板状の記録メディアの前記貫通孔に嵌合し、前記記録メディアを着脱自在且つ水平に保持する保持部（例えば、図３に示す保持部２０）と、
前記保持部により前記記録メディアが保持された際に、前記貫通孔を軸中心として前記記録メディア上又は前記記録メディアの上方近傍を水平回転可能に前記保持部に支持される指示器（例えば、図３に示す指示器１０）と、
を備え、回転力が加えられた前記指示器が停止した際に当該指示器が指し示している当該記録メディア上の位置の色、図柄又は文字によって為される所定のゲームプレイの判定の用に供される判定機である。
【０００６】
この第１の発明によれば、ＣＤやＤＶＤ等の板状の記録メディアの中央の貫通孔に保持部を嵌合することにより、記録メディア上又は記録メディアの上方近傍を水平回転可能な指示器を備えた判定機に記録メディアを簡単に装着することができる。したがって、中央に貫通孔を有する記録メディアに装着される判定機であって、回転力が加えられた指示器が停止した際に、当該指示器が指し示している記録メディア上の位置の色、図柄、又は文字によって為される所定のゲームプレイを判定するための判定機を提供することができる。
【０００７】
第２の発明は、
中央に貫通孔を有するＣＤやＤＶＤ等の板状の記録メディアの前記貫通孔に嵌合し、前記記録メディアを着脱自在且つ水平回転可能に保持する保持部（例えば、図１０に示す載置部材４６０）と、
指示端部が前記保持部によって保持される前記記録メディア上又は前記記録メディアの上方近傍に位置するように配置された指示器（例えば、図１０に示す指示器７０）と、
を備え、回転力が加えられた前記記録メディアが停止した際に前記指示器の指示端部が指し示している当該記録メディア上の位置の色、図柄又は文字によって為される所定のゲームプレイの判定の用に供される判定機である。
【０００８】
この第２の発明によれば、ＣＤやＤＶＤ等の板状の記録メディアが有する中央の貫通孔に、当該記録メディアを着脱自在且つ水平回転可能に保持する保持部を嵌合することにより、当該記録メディア上又は記録メディアの上方近傍に位置するように配置された指示器を備える判定機に記録メディアを簡単に装着することができる。したがって、中央に貫通孔を有する記録メディアに装着される判定機であって、回転力が加えられた記録メディアが停止した際に、指示器が指し示している記録メディア上の位置の色、図柄、又は文字によって為される所定のゲームプレイを判定するための判定機を提供することができる。
【０００９】
第３の発明は、
中央に貫通孔を有するＣＤやＤＶＤ等の板状の記録メディアの前記貫通孔に着脱自在に挿入されることで、所定間隔を空けて複数の前記記録メディアを同一中心軸で個別に回転可能に保持する保持部（例えば、図１４に示す保持部５００）を備え、
前記保持部により保持された複数の記録メディアそれぞれに回転力が加えられた後、回転が停止した際の各記録メディア上に描かれた色、図柄又は文字の位置関係の組合せによって為される所定のゲームプレイの判定の用に供される判定機である。
【００１０】
この第３の発明によれば、所定間隔を空けて複数の記録メディアを別個に回転可能に保持する保持部を、ＣＤやＤＶＤ等の板状の記録メディアが有する中央の貫通孔に挿入することにより、保持された複数の記録メディアそれぞれに回転力が加えられた後、回転が停止した際の各記録メディアに描かれた色、図柄、又は文字の位置関係の組み合わせによって為される所定のゲームプレイを判定するための判定機に、記録メディアを装着することができる。
【００１１】
第４の発明は、
中央に貫通孔を有するＣＤやＤＶＤ等の板状の記録メディアの前記貫通孔に着脱自在に挿入されることで、所定間隔を空けてｎ枚（ｎは２以上の整数）の前記記録メディアを同一中心軸で個別に保持するとともに、ｎ枚の内のａ枚（ａは１以上ｎ未満の整数）の前記記録メディアを回転可能に保持する保持部（例えば、図１６に示す保持部６００）を備え、
前記保持部により回転可能に保持されたａ枚の記録メディアそれぞれに回転力が加えられた後、回転が停止した際のｎ枚の記録メディア上に描かれた色、図柄又は文字の位置関係の組合せによって為される所定のゲームプレイの判定の用に供される判定機である。
【００１２】
この第４の発明によれば、保持部は、所定間隔を空けて保持するｎ枚の記録メディアの内のａ枚の記録メディアを回転可能に保持することができる。
【００１３】
第５の発明は、第１〜第４の発明の何れかの発明の判定機であって、
他の判定機と連結する連結部を備えることを特徴としている。
【００１４】
この第５の発明によれば、判定機を他の判定機に連結することができる。
【００１５】
第６の発明は、第１又は第２の発明の判定機であって、
前記保持部は、複数の記録メディアを同一面上に平行に保持し、
前記複数の記録メディアにそれぞれ対応した指示器を備えることを特徴としている。
【００１６】
この第６の発明によれば、保持部による記録メディアの保持面が同一面上で平行になるように複数の記録メディアを保持することができる。
【００１７】
第７の発明は、第２の発明の判定機であって、
前記保持部によって回転可能に保持された記録メディアの回転を停止させる停止機構を備えることを特徴としている。
【００１８】
この第７の発明によれば、保持部により回転可能に保持された記録メディアの回転を停止させることができる。
【００１９】
第８の発明は、第３の発明の判定機であって、
前記保持部によって保持された複数の記録メディアそれぞれの回転を別個に停止させる停止機構（例えば、図１４に示すブレーキアーム５４１，５５１、ブレーキレバー５４３，５５３、及びブレーキパッド５４５，５５５）を備えることを特徴としている。
【００２０】
この第８の発明によれば、保持部が保持している複数の記録メディアそれぞれの回転を別個に停止させることができる。
【００２１】
第９の発明は、第１の発明の判定機であって、
前記保持部は前記指示器と一体的に回転する軸部（例えば、図１９に示す指示器用回転体８３０）を有して構成され、
前記保持部及び前記指示器の組を複数組と、
一の保持部の軸部の回転力を他の保持部の軸部に伝達する伝達機構（例えば、図１９に示す駆動プーリー８５１、従動プーリー８５３、及びベルト８５５）と、
を備え、前記各保持部による保持面が同一又は平行になるように記録メディアが保持され、前記複数の指示器のうち一の指示器に回転力が加えられると前記伝達機構により他の指示器も回転することを特徴としている。
【００２２】
この第９の発明によれば、指示器と一体的に回転する軸部を有した保持部と指示器との組が複数設けられている場合に、一の保持部の軸部の回転力を他の保持部の軸部に伝達することができる。すなわち、保持部の軸部と一体的に回転する指示器のうち、一の指示器を回転させた際に、他の指示器を連動して回転させることができる。
【００２３】
第１０の発明は、第２の発明の判定機であって、
前記保持部は記録メディアと一体的に回転する軸部（例えば、図２０に示すＣＤ用回転体９２０）を有して構成され、
前記保持部及び前記指示器の組を複数組と、
一の保持部の軸部の回転力を他の保持部の軸部に伝達する伝達機構と、
を備え、前記各保持部による保持面が同一又は平行になるように記録メディアが保持され、保持された記録メディアのうち一の記録メディアに回転力が加えられると前記伝達機構により他の記録メディアも回転することを特徴としている。
【００２４】
この第１０の発明によれば、記録メディアと一体的に回転する軸部を有した保持部と指示器との組が複数設けられている場合に、一の保持部の軸部の回転力を他の保持部の軸部に伝達することができる。すなわち、複数の保持部にそれぞれ保持された記録メディアのうち、一の記録メディアを回転させた際に、他の記録メディアを連動して回転させることができる。
【００２５】
第１１の発明は、第９又は第１０の発明の判定機であって、
前記保持部のうち少なくとも一の保持部の軸部を駆動するための駆動機構（例えば、図１９に示す指示器回転用モータ８４３）を備えることを特徴としている。
【００２６】
この第１１の発明によれば、複数の保持部の軸部のうち、一の軸部の回転を駆動することができる。
【００２７】
第１２の発明は、第９〜第１１の何れかの発明の判定機であって、
前記保持部のうち少なくとも一の保持部の軸部の回転を停止させる停止機構を備えることを特徴としている。
【００２８】
この第１２の発明によれば、複数の保持部の軸部のうち、一の軸部の回転を停止させることができる。
【発明の効果】
【００２９】
本発明によれば、ＣＤやＤＶＤ等の板状の記録メディアの中央の貫通孔に保持部を嵌合することにより、記録メディア上の位置の色、図柄、又は文字によって為される所定のゲームプレイを判定するための指示器を備えた判定機に、記録メディアを簡単に装着することができる。
【発明を実施するための最良の形態】
【００３０】
以下、図面を参照して、本発明を適用した判定機の実施形態について詳細に説明する。本実施形態の判定機には、プレーヤの攻撃動作及び防御動作の成否を判定するための判定用情報が描画された板状の記録メディアが装着される。以下では、判定機に装着される記録メディアとして、ＣＤを用いた場合について説明する。
【００３１】
〔第１の実施形態〕
図１は、第１の実施形態における判定機に着脱自在に装着されるＣＤ１の上面図である。図１に示すように、ＣＤ１の盤面には、攻撃成功ゾーンと攻撃失敗ゾーンとを有する攻撃判定用情報Ｉ１０と、防御成功ゾーンと防御失敗ゾーンとを有する防御判定用情報Ｉ２０（以下、攻撃判定用情報と防御判定用情報とを包括して、適宜「判定用情報」という。）とが描画されている。
【００３２】
図２は、図１に示したＣＤ１が装着された判定機３の上面図、図３は、図２に示すＸ−Ｘ´矢視断面図、をそれぞれ示す図である。
【００３３】
判定機３は、ＣＤ１を保持する保持部２０と、ＣＤ１の盤面に描画された判定用情報を指し示す指示器１０とを備える。保持部２０は、ＣＤ１を載置する載置部材２１と、載置部材２１とともにＣＤ１を挟持する押え部材２３と、指示器１０を軸支する支軸部材２５とを有している。
【００３４】
載置部材２１は、その上面がＣＤ１の載置面となり、載置面の中央にはＣＤ１の中央の貫通孔に挿入される円柱状の支持突起２１１を備えている。
【００３５】
押え部材２３は、載置部材２１に載置されたＣＤ１の上方からＣＤ１を押える。この押え部材２３の底面には、載置部材２１の支持突起２１１が挿入される受け穴２３１が設けられている。
【００３６】
支軸部材２５は、押え部材２３の上側に配置される台座２５５と、指示器１０を回転可能に支持する軸部２５１とを有している。台座２５５の底面には、押え部材２３の上面に形成された一対の位置決め穴２３３ａ，２３３ｂに嵌め込む一対の位置決め突起２５３ａ，２５３ｂが設けられ、支軸部材２５の軸部２５１は、この一対の位置決め突起２５３ａ，２５３ｂを押え部材２３の位置決め穴２３３ａ，２３３ｂにそれぞれ挿入して押え部材２３上に配置した状態において、載置部材２１の支持突起２１１と同心となるように配設されている。
【００３７】
指示器１０は、全体的な形状が略リング状であり、中央の貫通穴１０１により、支軸部材２５の軸部２５１に回転可能に支持される。指示器１０は、支軸部材２５と一体的に形成されており、軸部２５１と、指示器１０の中央の貫通穴１０１とは、互いに低摩擦な材料が使用される。尚、指示器１０を円滑に回転させるため、指示器１０と軸部２５１との間に軸受を設けることとしてもよい。
【００３８】
また、図２に示すように、指示器１０は、外径がＣＤ１よりも小さく設定されており、その上面には、ＣＤ１の盤面に描画された判定用情報を指し示すための指標（矢印）Ｍ１０が付されている。
【００３９】
この判定機３には、以下のようにしてＣＤ１を装着する。すなわち、先ず、ＣＤ１の中央の貫通孔を載置部材２１の支持突起２１１に挿入する。続いて、ＣＤ１の上方から、押え部材２３の受け穴２３１を、ＣＤ１の貫通孔に挿入された支軸部材２５に挿入する。続いて、指示器１０と一体的に形成された支軸部材２５に設けられた一対の位置決め突起２５３ａ，２５３ｂを押え部材２３の位置決め穴２３３ａ，２３３ｂにそれぞれ挿入して押え部材２３上に配置する。前述のように、載置部材２１の支持突起２１１と支軸部材２５の軸部２５１とは同心であり、指示器１０に回転力を加えると、図３に示す軸ＡＸを軸中心として指示器１０がＣＤ１上で回転される。
【００４０】
ここで、ＣＤが装着された判定機３を用いたゲームプレイの概要について説明する。例えば、ＣＤの盤面には、図１に示した判定用情報の他、キャラクタの図柄が描画され、当該キャラクタのライフ、攻撃力、防御力等のパラメータ値が表記されている。プレーヤは、手持ちのＣＤを判定機３に装着して、相手プレーヤとの対戦を行う。
【００４１】
具体的には、相手プレーヤに対する攻撃動作として、プレーヤは、指示器１０に回転力を加えて回転させる。そして、指示器１０の回転が停止した際、当該指示器１０に付された指標Ｍ１０が攻撃判定用情報Ｉ１０の攻撃成功ゾーンを指し示している場合には、相手プレーヤに対してダメージを与えることができる。同様にして、相手プレーヤの攻撃に対する防御動作として、プレーヤは、指示器１０に回転力を加えて回転させる。そして、指示器１０の回転が停止した際、当該指示器１０に付された指標Ｍ１０が防御判定用情報Ｉ２０の防御成功ゾーンを指し示している場合には、相手プレーヤからの攻撃を防御することができる。この攻撃動作及び防御動作を攻撃プレーヤ間で交互に行い、勝敗が決定するまで繰り返す。
【００４２】
尚、判定用情報は、上記したものに限定されるものではなく、また、色分けされた判定用情報や、異なる図柄が描画された判定用情報、或いは色、図柄、及び文字が組み合わされた判定用情報であってもよい。この場合には、指示器１０に付された指標Ｍ１０が指し示す盤面の位置の色、図柄、又は文字等に応じてゲーム判定が行われる。また、異なる判定用情報が描画されたＣＤ１を複数枚用意し、対戦に応じてＣＤ１を選択することとしてもよい。
【００４３】
以上説明したように、第１の実施形態によれば、ＣＤ１の貫通孔を載置部材２１の支持突起２１１に挿入するとともに、ＣＤ１の上方から、押え部材２３の受け穴２３１をＣＤ１の貫通孔に挿入された支持突起２１１に挿入することにより、回転自在な指示器１０を備えた判定機３にＣＤ１を簡単に装着することができる。
【００４４】
尚、上記した判定機３において、ＣＤ１の貫通孔に挿入される支持突起２１１を備えた載置部材２１を、ゴム等の弾性を有する材料によって形成してもよい。図４に、この場合の判定機３ａの断面図を示す。図４に示す判定機３ａは、載置部材２１ａ以外の構成は、上記した第１の実施形態で図３に示して説明した判定機３の構成と同様であり、説明は省略する。載置部材２１ａは、略円柱状に形成されており、ＣＤ１の貫通孔に弾性変形させて挿入することにより、ＣＤ１が固定される。
【００４５】
また、上記した判定機３を、ＣＤ１の盤面に描画された攻撃判定用情報が有する攻撃成功ゾーンと攻撃失敗ゾーンの境界線、或いは防御判定用情報が有する防御成功ゾーンと防御失敗ゾーンの境界線上で判定機３ｃに付された指標が停止しないように構成してもよい。図５はこの場合の判定機３ｃの断面図、図６は図５に示す判定機３ｃの内部を一部透過させた上面図、をそれぞれ示している。尚、図５及び図６に示す判定機３ｃにおいて、図３に示して説明した判定機３と同一の構成要素には、同一の符号を付してその説明は省略する。
【００４６】
図５に示すように、支軸部材２５ｃの有する台座２５５の上面には、指示器１０ｃの中空空間ＳＰに突出する、弾性部材で形成された複数の突起部２５７が配設されている。突起部２５７は、図６に示すように、同一円周上に所定間隔をもって配設されており、この突起部２５７により、指示器１０ｃが回転された際の停止位置（より具体的には、後述する規制部材１０３の停止位置）が区画される。また、支軸部材２５ｃの上面には、各突起部２５７の位置を示す指示マークＭ１４がそれぞれ付されている。
【００４７】
一方、指示器１０ｃの中空空間ＳＰの内壁には、当該指示器１０ｃの外周側から内周側に向かって突起部２５７に接触可能な位置まで延出し、指示器１０ｃの停止位置を規制する規制部材１０３が設けられている。この規制部材１０３は、指示器１０ｃの上面に付された指標Ｍ１２の位置に配設される（図６参照）。回転力が加えられて指示器１０ｃが回転された場合には、規制部材１０３が突起部２５７と接触し、突起部２５７が弾性変形しながら指示器１０ｃが回転することにより指示器１０ｃの回転速度が減衰される。そして、指示器１０ｃの回転力が失われた場合には、規制部材１０３は、突起部２５７により区画された領域内で停止される。
【００４８】
この判定機３ｃに装着されるＣＤ１の盤面には、攻撃判定用情報が有する攻撃成功ゾーンと攻撃失敗ゾーンの境界線同士の間隔、及び防御判定用情報が有する防御成功ゾーンと防御失敗ゾーンの境界線同士の間隔が、上記した各突起部２５７の間隔の整数倍となるように、判定用情報が描画される。そして、判定機３ｃをＣＤ１に装着する際には、前述の各境界線の位置が、突起部２５７うちの何れかの突起部２５７の位置と一致するように、判定機３ｃをＣＤ１に装着する。すなわち、図６に示すように、支軸部材２５ｃの上面に付された何れかの指示マークＭ１４が境界線位置を指し示すように、判定機３ｃをＣＤ１に装着する。
【００４９】
したがって、回転力を加えて回転させた指示器１０ｃが停止する際、指示器１０ｃに付された指標Ｍ１２が、突起部２５７間で必ず停止することとなる。これにより、ＣＤ１の盤面に描画された攻撃判定用情報が有する攻撃成功ゾーンと攻撃失敗ゾーンの境界線、或いは防御判定用情報が有する防御成功ゾーンと防御失敗ゾーンの境界線上での、指標Ｍ１２の停止を防止することができる。
【００５０】
また、複数のＣＤを同一面上に平行に保持するように保持部を構成し、ＣＤ毎にそれぞれ指示器を備えることとしてもよい。図７はこの場合の判定機３ｂの上面図、図８は図７に示すＹ−Ｙ´矢視断面図、をそれぞれ示す図である。
【００５１】
この判定機３ｂは、平板状の基板２７を備える。基板２７は、その上面がＣＤ１の載置面となり、載置面上には、所定間隔をもって、ＣＤ１の中央の貫通孔に挿入される円柱状の支持突起２７１ａ，２７１ｂが形成されている。この支持突起２７１ａ，２７１ｂに、それぞれＣＤ１の貫通孔を挿入することにより、基板２７上に２枚のＣＤ１が載置される。また、各ＣＤ１の上方には、上記した第１の実施形態で図３に示して説明した判定機３と同様に、ＣＤ１の上方からＣＤ１を押える押え部材２３が配置され、押え部材２３の上側には、指示器１０を軸ＡＸを軸中心として回転可能に軸支する支軸部材２５が配置されている。
【００５２】
また、図７に示すように、平板状の基板２１０には、他の判定機３ｂの基板２１０と連結するための連結部としての連結用穴部２７ｂと、他の判定機３ｂの基板２１０と連結するための連結部としての連結用突起部２７ａが設けられている。この連結用穴部２７ｂ及び連結用突起部２７ａは、基板２１０の対向する辺の対向する位置にそれぞれ設けられている。この連結用穴部２７ｂを、他の判定機の基板に設けられた連結用突起部に嵌め込むことにより、判定機３ｂを他の判定機と連結することができる。また、連結用突起部２７ａを、他の判定機の基板に設けられた連結用穴部に嵌め込むことにより、判定機３ｂを他の判定機と連結することができる。
【００５３】
さらに、判定機３ｂは、図７に示すように、プレーヤの現在のライフを計数するカウンタ部２８を、各ＣＤ１に対応してそれぞれ備えている。このカウンタ部２８は、目盛りが表記された目盛り板２８ａと、この目盛り板２８ａに回転可能に支持されるダイヤル２８ｂとを備える。ダイヤル２８ｂの上面には、目盛りを指し示すための矢印が付されている。プレーヤは、相手プレーヤの攻撃に対する防御動作として指示器１０を回転させた場合であって、指示器１０の回転が停止した際に、当該指示器１０に付された指標Ｍ１０が防御判定用情報Ｉ１０の防御失敗ゾーンを指し示している場合には、ダイヤル２８ｂを回転操作し、ダイヤル２８ｂに付された矢印が指し示す目盛りを現在のライフ位置に移動させる。
【００５４】
尚、ＣＤの上方で判定機の備える指示器を回転させる形態は、上記した形態に限定されるものではない。図９は、判定機の他の形態例を示す斜視図である。
【００５５】
例えば、図９（ａ）に示す判定機４ａは、ＣＤ１が載置される載置台４１、及びＣＤ１の中央の貫通孔が挿入される軸部４３を備えた保持部４０と、載置台４１に載置されたＣＤ１の盤面に描画された判定用情報を指し示すための指標となる指示器３０とを備えている。例えば、指示器３０に対して回転力を加えると、ＣＤ１上で指示器３０が回転される。そして、指示器３０の回転が停止した際、当該指示器３０の指示端部が攻撃判定用情報Ｉ１０の攻撃成功ゾーンを指し示しているか否かに応じて、攻撃動作の成否を判定する。
【００５６】
また、ＣＤ１を直径１２ｃｍのＣＤとした場合には、盤面に指標が付された直径８ｃｍのＣＤ（シングルＣＤ）を指示器として用いることとしてもよい。すなわち、例えば、図９（ｂ）に示す判定機４ｂは、載置台４１に載置されたＣＤ１の盤面に描画された判定用情報を指し示すための指示器３０ｂとして、図９（ａ）に示す判定機４ｂを構成する指示器３０に換えて、盤面に指標Ｍ２０が付されたシングルＣＤを用いる。例えば、指示器３０ｂに対して回転力を加えると、ＣＤ１上でシングルＣＤ（指示器）３０ｂが回転される。そして、シングルＣＤ３０ｂの回転が停止した際に、当該シングルＣＤ３０ｂの盤面に付された指標Ｍ２０が攻撃判定用情報Ｉ１０の攻撃成功ゾーンを指し示しているか否かに応じて、攻撃動作の成否を判定する。
【００５７】
〔第２の実施形態〕
次に、本発明を適用した第２の実施形態について説明する。第２の実施形態における判定機は、ＣＤを回転可能に保持するものである。
【００５８】
図１０は、第２の実施形態における判定機５の断面図である。平板状の基板４１０上には、ＣＤ１の盤面の位置をＣＤ１の外周側から指し示す指示器７０が設置されている。
【００５９】
基板４１０の中央には、上端部にゴム等で形成された摩擦体４２１が配設された円筒状の回転停止部材４２０が設けられている。この回転停止部材４２０の上端部の内周面には、回転停止部材４２０の内側の昇降台４３０の上昇移動を停止させるストッパ４２３が設けられている。
【００６０】
昇降台４３０は、ばね部材４４０により昇降台４３０の昇降移動方向に付勢されている。この昇降台４３０上には、ＣＤ１を載置する載置部材４６０が軸受４５０を介して回転可能に支持されている。この載置部材４６０の上面を押下操作すると、昇降台４３０がばね部材４４０に抗して押圧されて下降移動される。これにより、ＣＤ１の下面を摩擦体４２１と接触させ、ＣＤ１の回転を停止させることができる。
【００６１】
また、載置部材４６０の上面の外周側には段差が設けられ、この段差の底面にＣＤ１が載置されるようになっている。尚、段差を設けずに、載置部材４６０を弾性部材で形成して、ＣＤ１の貫通孔に嵌合等してもよい。
【００６２】
この判定機５には、以下のようにしてＣＤ１を装着する。すなわち、載置部材４６０の上面の外周側に設けられた段差の底面にＣＤ１を載置する。この状態でＣＤ１に回転力を加えると、載置部材４６０が回転される。
【００６３】
また、載置部材４６０の上面を押下操作することによりＣＤ１の下面を摩擦体４２１と接触させると、ＣＤ１の回転が停止される。すなわち、載置部材４６０の上方を任意に押下操作することにより、ＣＤ１の回転を停止させることができる。
【００６４】
以上説明したように、第２の実施形態によれば、ＣＤ１の貫通孔を載置部材４６０の上面の外周側に設けられた段差の底面にＣＤ１を載置することにより、判定機５にＣＤ１を簡単に装着することができる。この際、判定機５は、ＣＤ１を回転可能に保持することができる。また、載置部材４６０の上方からの押下操作により、ＣＤ１の回転を停止させることができる。
【００６５】
尚、ＣＤ１の回転を停止させるための判定機の構成は、上記した第２の実施形態における判定機５ａの構成に限定されるものではない。図１１は判定機の変形例を示す断面図、図１２は図１１に示す判定機５ａの上面図、をそれぞれ示す図である。
【００６６】
図１１に示すように、Ｕ字状のアーム４８０の一端部において、ＣＤ１を載置する載置部材４８２が軸受４８１を介して回転可能に支持されている。載置部材４８２の上面の外周側には段差が設けられ、この段差の底面にＣＤ１が載置されるようになっている。尚、段差を設けずに、載置部材４８２を弾性部材で形成して、ＣＤ１の貫通孔に嵌合等してもよい。
【００６７】
また、アーム４８０の他端部には、ゴム等で形成された摩擦体４８４が配設されている。アーム４８０は、可撓性を有する材料で形成されている。アーム４８０の他端部の上面を押下操作することによりアーム４８０が弾性変形し、ＣＤ１の上面の中心付近に摩擦体４８４が接触して、ＣＤ１の回転を停止させることができる。
【００６８】
また、図１２に示すように、アーム４８０の他端部は、矢印状に形成されており、ＣＤ１の盤面の位置をＣＤ１の外周側から指し示す指示器として機能する。
【００６９】
この判定機５ａには、以下のようにしてＣＤ１を装着する。すなわち、アーム４８０の間隙にＣＤ１の端部を差し込み、載置部材４８２の上面の外周側に設けられた段差の底面にＣＤ１を載置する。この状態でＣＤ１に回転力を加えると、載置部材４８２が回転される。
【００７０】
また、アーム４８０の他端部の上面を押下操作することによりＣＤ１の上面の中心付近を摩擦体４８４と接触させると、ＣＤ１の回転が停止される。すなわち、アーム４８０の他端部の上方を任意に押下操作することにより、ＣＤ１の回転を停止させることができる。
【００７１】
また、図１１及び図１２を参照して、アーム４８０の他端部の上面を押下操作することによりＣＤ１の上面の中心付近を摩擦体４８４と接触させる場合について説明したが、ＣＤ１の上面の縁部付近を摩擦体４８４と接触させることによりＣＤ１の回転を停止させることとしてもよい。図１３に、この場合の判定機５ｂの断面図を示す。図１３に示す判定機５ｂにおいて、アーム４８０ａの一端部で、図１１に示して説明した判定機５ａと同様に、ＣＤ１を載置する載置部材４８２が軸受４８１を介して回転可能に支持されている。また、摩擦体４８４が配設されるアーム４８０ａの他端部が、ＣＤ１の上面の縁部付近に位置するように構成されている。このアーム４８０ａの他端部の上面を押下操作することにより、ＣＤ１の上面に縁部付近を摩擦体４８４と接触させると、ＣＤ１の回転が停止される。したがって、アーム４８０ａの他端部の上方を任意に押下操作することにより、ＣＤ１の回転を停止させることができる。
【００７２】
〔第３の実施形態〕
次に、本発明を適用した第３の実施形態について説明する。第３の実施形態における判定機は、複数のＣＤを、同一の軸を軸中心として、それぞれ別個に回転可能に保持するものである。以下では、判定機が、ＣＤを回転可能に保持するとともに、ＣＤの上方で、ＣＤの回転軸と同一の軸を軸中心としてシングルＣＤを回転可能に保持する場合について説明する。
【００７３】
図１４は、第３の実施形態における判定機６の断面図である。判定機６は、ＣＤ１ａ及びシングルＣＤ１ｂを保持する保持部５００と、ＣＤ１ａ及びシングルＣＤ１ｂの盤面の位置をその外周側から指し示す指示器５７０とを備える。保持部５００は、平板状の基板５１０と、ＣＤ１ａを回転可能に保持するＣＤ用回転体５２０と、シングルＣＤ１ｂを回転可能に保持するシングルＣＤ用回転体５３０とを備える。
【００７４】
基板５１０には、軸支用孔５１１が設けられ、この軸支用孔５１１には、円筒状のＣＤ用回転体５２０が、軸受５２１を介して回転可能に支持されている。
【００７５】
ＣＤ用回転体５２０の上面の外周側には段差が設けられ、この段差の底面にＣＤ１ａが載置されるようになっている。尚、段差を設けずに、ＣＤ用回転体５２０の上端部を弾性部材で形成して、ＣＤ１ａの貫通孔に嵌合等してもよい。
【００７６】
シングルＣＤ用回転体５３０は、ＣＤ用回転体５２０の内側で軸受５３１を介して回転可能に支持されており、シングルＣＤ用回転体５３０は、ＣＤ用回転体５２０と同一の軸を軸中心として回転動作されるようになっている。また、シングルＣＤ用回転体５３０の上端部には、シングルＣＤ１ｂを載置する載置部材５３３が着脱自在に取り付けられる。この載置部材５３３の上面の外周側には段差が設けられ、この段差の底面にシングルＣＤ１ｂが載置されるようになっている。
【００７７】
基板５１０の下面側には、２本のブレーキアーム５４１，５５１が、基板５１０の下面に沿うように、それぞれ一端部を中心として上下に揺動自在に配設されている。各ブレーキアーム５４１，５５１の一端部には、基板５１０を貫通して基板５１０の上面側に延在するブレーキレバー５４３，５５３がそれぞれ配設されており、他端部には、ＣＤ用回転体５２０及びシングルＣＤ用回転体５３０の下面にそれぞれ当接するブレーキレバー５４５，５５５が取り付けられている。各ブレーキアーム５４１，５５１の一端部に配設されているブレーキレバー５４３，５５３を揺動操作して、ブレーキアーム５４１，５５１を揺動動作させることにより、ＣＤ用回転体５２０又はシングルＣＤ用回転体５３０の底面にブレーキパッド５４５，５５５を当接させ、ＣＤ用回転体５２０又はシングルＣＤ用回転体５３０の回転を停止させることができる。
【００７８】
この判定機６には、以下のようにしてＣＤ１ａ及びシングルＣＤ１ｂを装着する。すなわち、先ず、ＣＤ用回転体５２０の上面の外周側に設けられた段差の底面にＣＤ１ａを載置する。そして、シングルＣＤ用回転体５３０の上端部に載置部材５３３を取り付けて、載置部材５３３上にシングルＣＤ１ｂを載置する。
【００７９】
この状態で、ＣＤ１ａ及びシングルＣＤ１ｂにそれぞれ回転力を加えると、ＣＤ用回転体５２０及びシングルＣＤ用回転体５３０がそれぞれ別個に回転される。
【００８０】
また、ブレーキレバー５４３，５５３を揺動操作することにより、ＣＤ用回転体５２０又はシングルＣＤ用回転体５３０の回転が停止される。例えば、ブレーキレバー１４３を揺動操作することにより、ブレーキアーム１４１を揺動動作させ、ＣＤ用回転体５２０の底面にブレーキパット１４５を当接させると、ＣＤ用回転体５２０の回転が停止される。すなわち、ブレーキレバー５４３，５５３を任意に揺動操作することにより、ＣＤ１ａ又はシングルＣＤ１ｂの回転を停止させることができる。
【００８１】
図１５は、上下に重なった状態（上記した判定機６に装着された状態）でのＣＤ１ａ及びシングルＣＤ１ｂの上面図である。図１５に示すように、ＣＤ１ａの盤面には、連続攻撃ゾーンと、攻撃成功ゾーンと、攻撃失敗ゾーンとを有する攻撃判定用情報Ｉ５００が描画されている。また、シングルＣＤ１ｂの盤面には、連続攻撃成功ゾーンと、連続攻撃失敗ゾーンとを有する連続攻撃判定用情報Ｉ５１０が描画されている。また、図１５において、ＣＤ１ａ及びシングルＣＤ１ｂが装着された判定機６の備える指示器５７０を破線で示している。
【００８２】
例えば、相手プレーヤに対する攻撃動作として、プレーヤは、ＣＤ１ａに回転力を加えて回転させる。そして、ＣＤ１ａの回転が停止した際、指示器５７０の指示端部が攻撃成功ゾーンを指し示している場合には、相手プレーヤに対してダメージを与えることができる。また、ＣＤ１ａの回転が停止した際に、指示器５７０の指示端部が連続攻撃ゾーンを指し示している場合には、プレーヤは、続けてシングルＣＤ１ｂに回転力を加えて回転させる。そして、シングルＣＤ１ｂの回転が停止した際、指示器５７０の指示端部が連続攻撃成功ゾーンを指し示している場合には、相手プレーヤに対して連続してダメージを与えることができる。
【００８３】
以上説明したように、第３の実施形態によれば、判定機６は、ＣＤ１ａ及びシングルＣＤ１ｂを、同一の軸を軸中心として、それぞれ別個に回転可能に保持することができる。また、ブレーキレバー５４３，５５３の揺動操作により、ＣＤ１ａ及びシングルＣＤ１ｂの回転を、それぞれ別個に停止させることができる。
【００８４】
〔第３の実施形態〕
次に、本発明を適用した第３の実施形態について説明する。第３の実施形態における判定機は、複数のＣＤを、その中心が同一軸上となるように保持するとともに、複数のＣＤのうち、一のＣＤを回転可能に保持するものである。以下では、ＣＤが回転可能に保持され、ＣＤの上方で、その中心が同一軸上となるようにシングルＣＤが固定される場合について説明する。本第３の実施形態において、ＣＤの上方で保持されるシングルＣＤは、ＣＤの盤面に描画された判定用情報を指し示すための指示器として機能する。
【００８５】
図１６は、第３の実施形態における判定機６ａの断面図である。判定機６ａは、ＣＤ１ａ及びシングルＣＤ１ｂを保持する保持部６００を備え、保持部６００は、平板状の基板６１０と、ＣＤ１ａを回転可能に保持するＣＤ用回転体６２０と、シングルＣＤ１ｂを保持するシングルＣＤ載置台６３０とを備える。
【００８６】
基板６１０には、軸支用孔６１１が設けられ、この軸支用孔６１１には、円筒状のＣＤ用回転体６２０が、軸受６２１を介して回転可能に支持されている。
【００８７】
ＣＤ用回転体６２０の上面の外周側には段差が設けられ、この段差の底面にＣＤ１ａが載置されるようになっている。尚、段差を設けずに、ＣＤ用回転体６２０の上端部を弾性部材で形成して、ＣＤ１ａの貫通孔に嵌合等してもよい。
【００８８】
ＣＤ用回転体６２０の内側には、シングルＣＤ載置台６３０が設けられており、その上端部には、シングルＣＤ１ｂを載置する載置部材６３３が着脱自在に取り付けられる。この載置部材６３３の上面の外周側には段差が設けられ、この段差の底面にシングルＣＤ１ｂが載置されて固定されるようになっている。尚、段差を設けずに、シングルＣＤ載置台６３０の上端部を弾性部材で形成して、シングルＣＤ１ｂの貫通孔に嵌合等してもよい。
【００８９】
この判定機６ａには、以下のようにしてＣＤ１ａ及びシングルＣＤ１ｂを装着する。すなわち、先ず、ＣＤ用回転体６２０の上面の外周側に設けられた段差の底面にＣＤ１ａを載置する。そして、シングルＣＤ載置台６３０の上端部に載置部材６３３を取り付けて、載置部材６３３上にシングルＣＤ１ｂを載置する。この状態で、ＣＤ１ａに回転力を加えると、ＣＤ用回転体６２０が回転される。
【００９０】
図１７は、上下に重なった状態（上記した判定機６ａに装着された状態）でのＣＤ１ａ及びシングルＣＤ１ｂの上面図である。図１７に示すように、ＣＤ１ａの盤面には、攻撃成功ゾーンと、攻撃失敗ゾーンとを有する攻撃判定用情報Ｉ１０００、及び防御成功ゾーンと、防御失敗ゾーンとを有する防御判定用情報Ｉ１０１０が描画されている。また、シングルＣＤ１ｂの盤面には、ＣＤ１ａの盤面に描画された判定用情報を指し示すための指標Ｍ３０が描画されている。
【００９１】
例えば、相手プレーヤに対する攻撃動作として、プレーヤは、ＣＤ１ａに回転力を加えて回転させる。そして、ＣＤ１ａの回転が停止した際に、シングルＣＤ１ｂの盤面に付された指標Ｍ３０が攻撃判定用情報Ｉ１０００の攻撃成功ゾーンを指し示しているか否かに応じて、攻撃動作の成否を判定する。同様にして、相手プレーヤの攻撃に対する防御動作として、プレーヤは、ＣＤ１ａに回転力を加えて回転させる。そして、ＣＤ１ａの回転が停止した際、シングルＣＤに付された指標Ｍ３０が防御判定用情報Ｉ１０１０の防御成功ゾーンを指し示しているか否かに応じて、防御動作の成否を判定する。
【００９２】
尚、シングルＣＤ１ｂの盤面に複数の指標が描画されていてもよい。また、指標の幅が異なる判定用情報が描画されたシングルＣＤ１ｂを複数枚用意し、レベル等に応じてシングルＣＤ１ｂを選択することとしてもよい。
【００９３】
以上説明したように、第３の実施形態によれば、判定機６ａは、ＣＤ１ａを回転可能に保持するとともに、ＣＤ１ａの上方で、その中心が同一軸上となるようにシングルＣＤ１ｂを固定することができる。
【００９４】
尚、上記した第３の実施形態では、判定機６ｂにより、ＣＤ１ａが回転可能に保持され、ＣＤ１ａの上方で、その中心が同一軸上となるようにシングルＣＤ１ｂが固定される場合について説明したが、以下のようにしてもよい。すなわち、判定機によりＣＤ１ａが固定され、ＣＤ１ａの上方で、その中心が同一軸上となるようにシングルＣＤ１ｂが回転可能に保持されるようにしてもよい。
【００９５】
図１８は、この場合における判定機６ｂの断面図である。判定機６ｂは、ＣＤ１ａ及びシングルＣＤ１ｂを保持する保持部７００を備え、保持部７００は、平板状の基板７１０と、ＣＤ１ａを保持するＣＤ載置台７２０と、シングルＣＤ１ｂを回転可能に保持するシングルＣＤ用回転体７３０とを備える。
【００９６】
同図において、基板７１０に設けられた軸支用孔７１１に、円筒状のＣＤ載置台７２０が支持されており、ＣＤ載置台７２０の上面にＣＤ１ａが載置されて固定されるようになっている。そして、ＣＤ載置台７２０の内側には、シングルＣＤ用回転体７３０が軸受７３１を介して回転可能に支持されている。このシングルＣＤ用回転体７３０の上端部には、シングルＣＤ１ｂを載置する載置部材７３３が着脱自在に取り付けられる。
【００９７】
これによれば、判定機６ｂは、ＣＤ１ａを固定し、当該固定したＣＤ１ａの上方で、その中心が同一軸上となるようにシングルＣＤ１ｂを回転可能に保持することができる。
【００９８】
〔第４の実施形態〕
次に、本発明を適用した第４の実施形態について説明する。第４の実施形態における判定機は、複数のＣＤを同一面上（仮想的な面上）で平行になるように保持し、各ＣＤに対応した指示器をそれぞれ回転可能に保持するものである。
【００９９】
図１９は、第４の実施形態における判定機７の断面図である。平板状の基板８１０には、２つの軸支用孔８１１が所定間隔をもって設けられており、各軸支用孔８１１には、円筒状のＣＤ載置台８２０がそれぞれ支持されている。
【０１００】
指示器用回転体８３０は、ＣＤ載置台８２０の内側で軸受８３１を介して回転可能に支持されており、指示器用回転体８３０の上端部には、指示器８７０が着脱自在に装着されている。この指示器８７０の上面には、ＣＤ１の盤面に描画された判定用情報を指し示すための指標（図示略）が付されている。
【０１０１】
また、図１９中左側の指示器用回転体８３０の下端部周面には、回転駆動ギア８４１が配設されており、この回転駆動ギア８４１には、指示器回転用モータ８４３により回転駆動される出力ギア８４５が噛合されている。この指示器回転用モータ８４３に通電することにより出力ギア８４５を回転駆動させ、指示器回転用モータ８４３への通電を解除することにより、出力ギア８４５を停止させる。
【０１０２】
また、基板８１０の上面には、モータ駆動用スイッチＳＷ１及びモータ停止用スイッチＳＷ２が配設されており、モータ駆動用スイッチＳＷ１の押下操作に応じて指示器回転用モータ８４３のＯＮ動作を、モータ停止用スイッチＳＷ２の押下操作に応じて指示器回転用モータのＯＦＦ動作を、それぞれ行うようになっている。
【０１０３】
回転駆動ギア８４１が配設された指示器用回転体８３０の、ＣＤ載置台８２０の下端部の下方位置には、駆動プーリー８５１が配設されており、他方の指示器用回転体８３０には、従動プーリー８５３が配設されている。この駆動プーリー８５１と従動プーリー８５３との間には、ベルト８５５が掛け渡されている。
【０１０４】
この判定機７には、以下のようにしてＣＤ１を装着する。すなわち、先ず、ＣＤ載置台８２０の上面の外周側に設けられた段差の底面にＣＤ１を載置する。尚、段差を設けずに、ＣＤ載置台８２０の上端部を弾性部材で形成して、ＣＤ１の貫通孔に嵌合等してもよい。そして、指示器用回転体８３０の上端部に指示器８７０を取り付ける。
【０１０５】
この状態で、モータ駆動用スイッチＳＷ１を押下すると、指示器回転用モータ８４３が回転駆動され、出力ギア８４５及び回転駆動ギア８４１をそれぞれ介して一方の指示器用回転体８３０が回転駆動される。また、この一方の指示器用回転体８３０の回転動作に伴って駆動プーリー８５１が回転駆動され、ベルト８５５及び従動プーリー８５３を介して他方の指示器用回転体８３０が同期して回転駆動される。すなわち、モータ駆動用スイッチＳＷ１の押下操作に応じて回転駆動された一方の指示器用回転体８３０の回転力が、他方の指示器用回転体８３０に伝達されるので、各指示器８７０を連動回転させることができる。
【０１０６】
そして、モータ停止用スイッチＳＷ２を押下すると、指示器回転用モータ８４３への通電が解除されて出力ギア８４５の回転が停止され、これに伴って指示器用回転体８３０が停止される。同時に、駆動プーリー８５１及びベルト８５５を介した従動プーリー８５３の回転が停止されるので、他方の指示器用回転体８３０も同時に停止される。
【０１０７】
以上説明したように、第４の実施形態によれば、判定機７は、２枚のＣＤ１を同一面上で平行になるように保持し、各ＣＤ１に対応した指示器８７０をそれぞれ回転可能に保持することができる。そして、モータ駆動用スイッチＳＷ１の押下操作に応じて一方の指示器用回転体８３０を回転駆動するとともに、この回転力を他方の指示器用回転体８３０に伝達し、各ＣＤ１に対応した指示器８７０を連動回転させることができる。
【０１０８】
尚、左右の指示器８７０の回転が停止した際に、各指示器８７０の上面に付された指標の指し示す位置が、常に同位置とならないように、駆動プーリー８５１と従動プーリー８５３との外径を異なるものとしてもよい。
【０１０９】
〔第５の実施形態〕
次に、本発明を適用した第５の実施形態について説明する。第５の実施形態における判定機は、それぞれ対応した指示器９７０を備えた複数のＣＤ１を同一面上で平行になるように、且つ回転可能に保持するものである。
【０１１０】
図２０は、第５の実施形態における判定機８の断面図である。平板状の基板９１０上には、ＣＤ１の盤面の位置をＣＤ１の外周側から指し示す指示器９７０が、各ＣＤ１に対応してそれぞれ設置されている。
【０１１１】
また、基板９１０には、２つの軸支用孔９１１が所定間隔をもって設けられており、この軸支用孔９１１には、円筒状のＣＤ用回転体９２０がそれぞれ軸受９１３を介して回転可能に支持されている。このＣＤ用回転体９２０の上面の外周側には段差が設けられ、この段差の底面にＣＤ１が載置されるようになっている。
【０１１２】
また、図２０中左側のＣＤ用回転体９２０の下端部周面には、回転駆動ギア９３１が配設されており、この回転駆動ギア９３１には、ＣＤ回転用モータ９３３により回転駆動される出力ギア９３５が噛合されている。このＣＤ回転用モータ９３３に通電することにより出力ギア９３５を回転駆動させ、ＣＤ回転用モータ９３３への通電を解除することにより、出力ギア９３５を停止させる。
【０１１３】
また、基板９１０の上面には、モータ駆動用スイッチＳＷ１及びモータ停止用スイッチＳＷ２が配設されており、モータ駆動用スイッチＳＷ１の押下操作に応じてＣＤ回転用モータ９３３のＯＮ動作を、モータ停止用スイッチＳＷ２の押下操作に応じてＣＤ回転用モータのＯＦＦ動作を、それぞれ行うようになっている。
【０１１４】
回転駆動ギア９３１が配設されたＣＤ用回転体９２０の基板９１０下の下方位置には、駆動プーリー９４１が配設されており、他方のＣＤ用回転体９２０には、従動プーリー９４３が配設されている。この駆動プーリー９４１と従動プーリー９４３との間には、ベルト９４５が掛け渡されている。
【０１１５】
この判定機８には、以下のようにしてＣＤ１を装着する。すなわち、ＣＤ用回転体９２０の上面の外周側に設けられた段差の底面にＣＤ１を載置する。尚、段差を設けずに、ＣＤ用回転体９２０を弾性部材で形成して、ＣＤ１の貫通孔に嵌合等してもよい。
【０１１６】
この状態で、モータ駆動用スイッチＳＷ１を押下すると、ＣＤ回転用モータ９３３が回転駆動され、出力ギア９３５及び回転駆動ギア９３１をそれぞれ介して一方のＣＤ用回転体９２０が回転駆動される。また、この一方のＣＤ用回転体９２０の回転動作に伴って駆動プーリー９４１が回転駆動され、ベルト９４５及び従動プーリー９４３を介して他方のＣＤ用回転体９２０が同期して回転駆動される。すなわち、モータ駆動用スイッチＳＷ１の押下操作に応じて回転駆動された一方のＣＤ用回転体９２０の回転力が、他方のＣＤ用回転体９２０に伝達されるので、各ＣＤ１を連動回転させることができる。
【０１１７】
そして、モータ停止用スイッチＳＷ２を押下すると、ＣＤ回転用モータ９３３への通電が解除されて出力ギア９３５の回転が停止され、これに伴ってＣＤ用回転体９２０が停止される。同時に、駆動プーリー９４１及びベルト９４５を介した従動プーリー９４３の回転が停止されるので、他方のＣＤ用回転体９２０も同時に停止される。
【０１１８】
以上説明したように、第３の実施形態によれば、判定機８は、それぞれ対応した指示器９７０を備えた２枚のＣＤ１を同一面上で平行になるように、且つ回転可能に保持することができる。そして、モータ駆動用スイッチＳＷ１の押下操作に応じて一方のＣＤ用回転体９２０を回転駆動するとともに、この回転力を他方のＣＤ用回転体９２０に伝達し、各ＣＤ１を連動回転させることができる。
【０１１９】
尚、左右の指示器９７０の回転が停止した際に、各指示器９７０の上面に付された指標の指し示す位置が、常に同位置とならないように、駆動プーリー９４１と従動プーリー９４３との外径を異なるものとしてもよい。
【０１２０】
尚、判定機に装着される記録メディアとしては、例えば、ＣＤ−ＲＯＭ、ＣＤ−Ｒ、ＣＤ−ＲＷ、ＤＶＤ−ＲＯＭ、ＤＶＤ−Ｒ、ＤＶＤ＋ＲＷ、ＤＶＤ−ＲＡＭといった記録メディアや、予め所定のゲームデータ、音楽データ、或いは映画データといった各種データが記憶されたＣＤ、ＬＤ、ＤＶＤ等が用いられる。また、上記した実施形態では、円盤形状の記録メディア（ＣＤ）を適用した場合について説明したが、記録メディアの形状は円盤形状に限定されるものではなく、カード型に形成された記録メディアであってもよい。
【図面の簡単な説明】
【０１２１】
【図１】判定機に着脱自在に装着される記録メディアの上面図。
【図２】図１に示した記録メディアを装着した判定機の上面図。
【図３】図２に示すＸ−Ｘ矢視断面図。
【図４】判定機の変形例を示す断面図。
【図５】判定機の変形例を示す断面図。
【図６】図５に示す判定機の上面図。
【図７】判定機の変形例を示す上面図。
【図８】図７に示すＹ−Ｙ´矢視断面図。
【図９】判定機の他の形態例を示す斜視図
【図１０】第２の実施形態における判定機の断面図。
【図１１】判定機の変形例を示す断面図。
【図１２】図１１に示す判定機の上面図。
【図１３】判定機の変形例を示す断面図。
【図１４】第３の実施形態における判定機の断面図。
【図１５】第３の実施形態におけるＣＤ及びシングルＣＤの上面図。
【図１６】第３の実施形態における判定機の断面図。
【図１７】第３の実施形態におけるＣＤ及びシングルＣＤの上面図。
【図１８】判定機の変形例を示す断面図。
【図１９】第４の実施形態における判定機の断面図。
【図２０】第５の実施形態における判定機の断面図。
【符号の説明】
【０１２２】
１                        判定機
１０                    指示器
１０１                貫通穴
Ｍ１０                指標
２０                    保持部
２１                  載置部材
２１１              支持突起
２３                  押え部材
２３１              受け穴
２３３ａ，２３３ｂ  位置決め穴
２５                  支軸部材
２５１              軸部
２５３ａ，２５３ｂ  位置決め突起
Ｄ                        記録メディア
【図１】
2005066074.tif 000003
【図２】
2005066074.tif 000004
【図３】
2005066074.tif 000005
【図４】
2005066074.tif 000006
【図５】
2005066074.tif 000007
【図６】
2005066074.tif 000008
【図７】
2005066074.tif 000009
【図８】
2005066074.tif 000010
【図９】
2005066074.tif 000011
【図１０】
2005066074.tif 000012
【図１１】
2005066074.tif 000013
【図１２】
2005066074.tif 000014
【図１３】
2005066074.tif 000015
【図１４】
2005066074.tif 000016
【図１５】
2005066074.tif 000017
【図１６】
2005066074.tif 000018
【図１７】
2005066074.tif 000019
【図１８】
2005066074.tif 000020
【図１９】
2005066074.tif 000021
【図２０】
2005066074.tif 000022